(57)【要約】【課題】照明必要場所に設けられる既設設備（１）に仮設される仮設照明装置２において、比較的簡易な構成でありながら、既設設備（１）から離れた位置で高い位置への設置を可能とするとともに広範囲を照明することを可能とする。【解決手段】仮設照明装置２は、照明部３と、既設設備（１）に着脱可能に取り付けられる取付部４と、長尺体からなりかつ基端側が取付部４に取り付けられる一方で先端側に照明部３が取り付けられる支持部５と、を備えている。照明部３は取付部４の位置よりも離れた位置でかつ高い位置に配置される。【選択図】図１
2019087394.tif 000002
【特許請求の範囲】
【請求項１】
照明必要場所に設けられる既設設備に仮設される仮設照明装置であって、
照明部と、前記既設設備に着脱可能に取り付けられる取付部と、長尺体からなりかつ基端側が前記取付部に取り付けられる一方で先端側に前記照明部が取り付けられる支持部と、を備え、
前記照明部は前記取付部の位置よりも離れた位置でかつ高い位置に配置される、ことを特徴とする仮設照明装置。
【請求項２】
請求項１に記載の仮設照明装置において、
前記支持部は、前記取付部から斜め上向きとなる姿勢で前記取付部に取り付けられている、ことを特徴とする仮設照明装置。
【請求項３】
請求項１または２に記載の仮設照明装置において、
前記支持部は、その長手方向に伸縮可能に形成されているとともに、当該伸縮操作が前記支持部において前記取付部寄りで行えるように構成されている、ことを特徴とする仮設照明装置。
【請求項４】
請求項１から３のいずれか１項に記載の仮設照明装置において、
前記照明部は、非可撓性の長尺体とされ、
前記支持部は、その長手方向に対して前記照明部の長手方向を直交させる姿勢で支持しかつ当該照明部をそれから発する光を下に向けるような姿勢で支持する、ことを特徴とする仮設照明装置。
【請求項５】
請求項４に記載の仮設照明装置において、
前記照明部の長手方向一端側には、電源に接続される柔軟な電源ケーブルが設けられており、
前記照明部の長手方向他端側には、前記照明部と同一仕様の他の照明部と接続可能とするための柔軟な連結ケーブルが設けられている、ことを特徴とする仮設照明装置。
【請求項６】
請求項１から５のいずれか１項に記載の仮設照明装置において、
前記既設設備が支柱とされており、
前記取付部は、前記支柱の外周面にそれを外径側から挟むようにあてがわれる第１半筒状部材および第２半筒状部材と、前記第１半筒状部材と前記第２半筒状部材との各一方対向辺部位に取り付けられかつ前記第１半筒状部材と前記第２半筒状部材との各他方対向辺部位同士を接近させて筒状に形付ける閉状態および引き離す開状態に変位させるためのヒンジと、前記各他方対向辺部位に振り分けて設けられかつ前記閉状態でロックするための係止部および被係止部と、を含み、
前記各一方対向辺部位は、それぞれ径方向外向きに張り出されかつ前記閉状態において重ね合わされるような形状とされていて、当該重ね合わせ部位に前記ヒンジが取り付けられている、ことを特徴とする仮設照明装置。
【発明の詳細な説明】
【技術分野】
【０００１】
本発明は、照明必要場所に設けられる既設設備に仮設される仮設照明装置に関する。
【背景技術】
【０００２】
例えば鉄道の線路ならびにその近傍に設置される設備を点検、補修することがあるが、そのような点検、補修は鉄道の運行していない夜間に行われることが多い。このような場所での作業を行いやすくするためには、照明を設置することが好ましい。
【０００３】
このような照明として、例えば特許文献１に示されるような鉄道用高所照明装置や、特許文献２に示されるような工事用照明システムがある。
【０００４】
特許文献１の鉄道用高所照明装置は、光源部と、この光源部から光伝送体を経て出光部を設けた構成であり、前記光源部および前記光伝送体を線路脇の支柱に固定し、前記出光部を前記支柱の比較的高い位置に配置するようになっている。なお、前記光伝送体において前記支柱から離れたアーチ形の部分には、金属製の電線管等で保護するようにしている。
【０００５】
特許文献２の工事用照明システムは、複数個の棒形状の光源ユニットを組み合わせた構成になっている。前記棒形状光源ユニットは、基板にＬＥＤ素子を直線状に配置し、この基板の両端に円筒形の保持部を設けた構成になっている。この工事用照明システムを例えば線状の通路の照明とする場合、複数個の三角コーンを一定間隔毎に一列に配置し、隣り合う三角コーンの間に渡し棒をそれぞれ架け渡し、各渡し棒上にそれぞれ棒形状の光源ユニットを配置するようになっている。
【先行技術文献】
【特許文献】
【０００６】
【特許文献１】特開平９−３５５１７号公報
【特許文献２】特開２０１５−７６３９３号公報
【発明の概要】
【発明が解決しようとする課題】
【０００７】
上記特許文献１の鉄道用高所照明装置では、高い位置から地面をスポットで照明するようなものであるために、広範囲を照明することができない。
【０００８】
一方、上記特許文献２の工事用照明システムは、広範囲を照明することができるものの、複数個の棒形状の光源ユニットを装備しているために、構成が複雑化しているとともに、高い場所に設置するには三脚等のような光源ユニットの支持装置が必要になることが指摘される。ここに改良の余地がある。
【０００９】
このような事情に鑑み、本発明は、照明必要場所に設けられる既設設備に仮設される仮設照明装置において、比較的簡易な構成でありながら、前記既設設備から離れた位置で高い位置への設置を可能とするとともに広範囲を照明することを可能とすることを目的としている。
【課題を解決するための手段】
【００１０】
本発明は、照明必要場所に設けられる既設設備に仮設される仮設照明装置であって、照明部と、前記既設設備に着脱可能に取り付けられる取付部と、長尺体からなりかつ基端側が前記取付部に取り付けられる一方で先端側に前記照明部が取り付けられる支持部と、を備え、前記照明部は前記取付部の位置よりも離れた位置でかつ高い位置に配置される、ことを特徴としている。
【００１１】
この構成の仮設照明装置は、例えば支柱などの既設設備を利用して前記照明部を前記取付部の位置よりも離れた位置でかつ高い位置へ設置するように構成している。
【００１２】
これにより、上記特許文献２と異なり三脚などの支持装置が不要になるから、上記特許文献２に比べて簡易な構成でありながら、前記照明部を前記取付部の位置よりも離れた位置でかつ高い位置へ設置することが可能になる。また、長尺な照明部を用いるから、上記特許文献１に比べて広範囲を照明することが可能になる。
【００１３】
ところで、上記仮設照明装置において、前記支持部は、前記取付部から斜め上向きとなる姿勢で前記取付部に取り付けられている、ことが好ましい。
【００１４】
ここでは、前記照明部を前記取付部の位置よりも離れた位置でかつ高い位置へ設置するための構成を特定している。
【００１５】
また、上記仮設照明装置において、前記支持部は、その長手方向に伸縮可能に形成されているとともに、当該伸縮操作が前記支持部において前記取付部寄りで行えるように構成されている、ことが好ましい。
【００１６】
この構成では、前記照明部を装着した前記支持部を前記取付部に取り付けた状態でも当該支持部の伸縮操作を比較的簡単に行うことが可能になる。
【００１７】
また、上記仮設照明装置において、前記照明部は、非可撓性の長尺体とされ、前記支持部は、その長手方向に対して前記照明部の長手方向を直交させる姿勢で支持しかつ当該照明部をそれから発する光を下に向けるような姿勢で支持する、ことが好ましい。
【００１８】
この構成では、前記取付部の位置よりも離れた位置でかつ高い位置へ設置される長尺な前記照明部でもって下側領域の可及的広範囲を照明することが可能になる。
【００１９】
また、上記仮設照明装置において、前記照明部の長手方向一端側には、電源に接続される柔軟な電源ケーブルが設けられており、前記照明部の長手方向他端側には、前記照明部と同一仕様の他の照明部と接続可能とするための柔軟な連結ケーブルが設けられている、ことが好ましい。
【００２０】
この構成では、前記電源ケーブルおよび前記連結ケーブルが柔軟であるから、前記電源ケーブルを電源に装着しやすくなるとともに、前記仮設照明装置に他の同一仕様の仮設照明装置を連結ケーブルでもって接続しやすくなる。これにより、可及的に広範囲を照明することが可能になる。
【００２１】
また、上記仮設照明装置において、前記既設設備が支柱とされており、前記取付部は、前記支柱の外周面にそれを外径側から挟むようにあてがわれる第１半筒状部材および第２半筒状部材と、前記第１半筒状部材と前記第２半筒状部材との各一方対向辺部位に取り付けられかつ前記第１半筒状部材と前記第２半筒状部材との各他方対向辺部位同士を接近させて筒状に形付ける閉状態および引き離す開状態に変位させるためのヒンジと、前記各他方対向辺部位に振り分けて設けられかつ前記閉状態でロックするための係止部および被係止部と、を含み、前記各一方対向辺部位は、それぞれ径方向外向きに張り出されかつ前記閉状態において重ね合わされるような形状とされていて、当該重ね合わせ部位に前記ヒンジが取り付けられている、ことが好ましい。
【００２２】
ここでは、前記取付部を構成する第１半筒状部材と第２半筒状部材とで例えば支柱などの既設設備を挟むようにして取り付ける形態にしているから、前記支柱に対する前記取付部の取り付け作業が比較的簡単に行えるようになることが明らかになる。
【００２３】
一般に、例えば鉄道線路の近傍には、例えば一定間隔おきに支柱が設置されている。この支柱を既設設備とすることが可能である。ここで、例えば前記鉄道線路を点検、補修する場合などでは、前記鉄道線路の近傍に設置される支柱に本発明に係る仮設照明装置を取り付けることにより、前記点検、補修作業者の邪魔にならないように高い位置から線路を照明することが可能になるから、作業が効率良く行えるようになる。
【発明の効果】
【００２４】
本発明に係る仮設照明装置は、上記特許文献２に比べて簡易な構成でありながら、前記照明部を既設設備の位置よりも離れた位置でかつ高い位置へ設置することが可能になるとともに、上記特許文献１に比べて広範囲を照明することが可能になる。
【図面の簡単な説明】
【００２５】
【図１】本発明に係る仮設照明装置の一実施形態で、その使用状態の全体の外観を示す斜視図である。
【図２】図１の連結ケーブルを支持部先端に仮留めした状態を模式的に示す図である。
【図３】図１の仮設照明装置の第１の使用状態を模式的に示す側面図である。
【図４】図１の仮設照明装置の第２の使用状態を模式的に示す側面図である。
【図５】図１の仮設照明装置を２つ横並びに連結した状態を模式的に示す正面図である。
【図６】照明部を示す斜視図である。
【図７】図６の照明部を支持部に装着した状態を示す斜視図である。
【図８】図７の支持部において照明部の装着部位を拡大して示す平面図である。
【図９】図８の（９）−（９）線断面を矢印方向から見た図である。
【図１０】既設設備としての支柱に取付部を取り付けた状態を示す平面図である。
【図１１】既設設備としての支柱に取付部を取り付ける初期段階を示す平面図である。
【図１２】取付部において開閉支点部位を見やすく示した斜視図である。
【図１３】取付部においてロックユニットの係止部および被係止部を見やすく示した斜視図である。
【図１４】取付部の受け部を直立姿勢にした状態を示す図である。
【図１５】取付部の受け部を斜め姿勢にした状態を示す図である。
【図１６】支持部を示す斜視図である。
【図１７】照明部の他の実施形態で、図９に対応する図である。
【図１８】図１０に示す受け部のロックピンに代わる他のロック装置の一例を示す平面図である。
【図１９】図１８に示すロック装置の正面図である。
【図２０】図１８に示す受け部を直立姿勢にした状態を示す図である。
【発明を実施するための形態】
【００２６】
以下、本発明を実施するための最良の実施形態について添付図面を参照して詳細に説明する。
【００２７】
図１から図１６に、本発明の一実施形態を示している。図中、１は既設設備としての支柱、２は仮設照明装置の全体を示している。
【００２８】
支柱１は、例えば不図示の鉄道の線路の近傍に一定間隔毎に多数設置されるものであって、例えばＨ型鋼などとされる。前記鉄道の線路などを夜間に点検、補修する場合などには照明が必要になるので、このような場所が照明必要場所と言える。
【００２９】
仮設照明装置２は、例えば支柱に仮設されることによって前記照明必要場所を照明する場合に適したものであって、照明部３、取付部４、支持部５などを備えている。
【００３０】
照明部３は、図６から図９に示すように、光源ユニット３１、ガイドレール３２などを備えている。
【００３１】
光源ユニット３１は、多数のＬＥＤ素子が線状に配置された構成であって、非可撓性の長尺体からなるホルダ３３の内溝内に収納された状態で取り付けられている。また、ガイドレール３２は、支持部５が取り付けられるものであって、図示していないが、光源ユニット３１のホルダ３３の背面側に適宜の方法（例えば両面テープなどを用いる方法）で取り付けられている。
【００３２】
また、光源ユニット３１の長手方向一端側には柔軟な電源ケーブル６が、また、照明部３の長手方向他端側には柔軟な連結ケーブル７がそれぞれ設けられている。電源ケーブル６の端部には図１に示すように電源８に簡易に接続するためのコネクタ６ａが、また、連結ケーブル７の端部には図５に示すように照明部３と同一仕様の他の照明部３と簡易に接続するためのコネクタ７ａが設けられている。
【００３３】
これら電源ケーブル６および連結ケーブル７は、照明部３の長手方向一端側および他端側から外向きに突出するように設けられている。
【００３４】
そして、電源ケーブル６および連結ケーブル７の外皮は、目立つような色（例えば黄色など）とすることが好ましい。そのようにした場合には例えば作業者などが電源ケーブル６や連結ケーブル７に引っ掛かることを防止しやすくなる。
【００３５】
また、電源ケーブル６には、それが邪魔にならないように、支持部５の下記チャックプレート５１に吊り下げるための吊り下げ部材９が装備されている。
【００３６】
なお、連結ケーブル７は、図１に示すように、その先端側に面ファスナー付のテープ１０が取り付けられており、このテープ１０によって連結ケーブル７の余り部分を束ねることができるようになっている。また、この連結ケーブル７についても、図示していないが、前記と同様の吊り下げ部材でもって下記チャックプレート５１などに吊り下げるようにすることが可能である。
【００３７】
この吊り下げ部材９は、図２に示すように、電源ケーブル６に固定される輪留め９ａと、この輪留め９ａに取り付けられるとともに必要に応じて支持部５の下記チャックプレート５１の引っ掛け孔５１ｂに引っ掛けられるカラピナ９ｂとを有している。
【００３８】
取付部４は、図１０から図１５に示すように、前記既設設備としての支柱１に着脱可能に取り付けられるものである。
【００３９】
この取付部４は、第１半筒状部材４１および第２半筒状部材４２、ヒンジ４３、ロックユニット４４、受け部４５などを備えている。
【００４０】
第１半筒状部材４１および第２半筒状部材４２は、金属製の板を屈曲することにより形成されるものであって、支柱１の外周面に囲むように挟む状態で取り付けられる。
【００４１】
第１半筒状部材４１は、Ｌ字形状壁部４１ａの一側部位にヒンジ取付壁部４１ｂが延設され、Ｌ字形状壁部４１ａの他側部位に開閉壁部４１ｃが延設されるようになっている。また、第２半筒状部材４２は、平板壁部４２ａの一側部位にヒンジ取付壁部４２ｂが延設され、平板壁部４２ａの他側部位に開閉壁部４２ｃが延設されるようになっている。
【００４２】
さらに、第１半筒状部材４１の開閉壁部４１ｃの上端および第２半筒状部材４２の開閉壁部４２ｃの上端には、それぞれ補強板４１ｄ，４２ｄが連接されている。この補強板４１ｄ，４２ｄは、第１半筒状部材４１および第２半筒状部材４２の形状維持に必要な補強を行うために設けられている。
【００４３】
第１半筒状部材４１および第２半筒状部材４２の各ヒンジ取付壁部４１ｂ，４２ｂは、それぞれ径方向外向きに張り出されており、閉状態において重ね合わされるような形状とされていて、当該重ね合わせ部位にヒンジ４３が取り付けられている。
【００４４】
なお、第１半筒状部材４１および第２半筒状部材４２の前記各一側部位が特許請求の範囲に記載の一方対向辺部位に相当しており、第１半筒状部材４１および第２半筒状部材４２の前記各他側部位が特許請求の範囲の他方対向辺部位に相当している。
【００４５】
ヒンジ４３は、第１半筒状部材４１および第２半筒状部材４２の各一方対向辺部位に取り付けられかつ第１半筒状部材４１および第２半筒状部材４２の各他方対向辺部位同士を接近させて筒状に形付ける閉状態（図１０参照）および引き離す開状態（図１１参照）に変位させるために設けられている。
【００４６】
ロックユニット４４は、前記閉状態を保持するようにロックするためのものであって、前記各他方対向辺部位に振り分けて設けられる係止部４４ａおよび被係止部４４ｂで構成されている。
【００４７】
係止部４４ａは、基板４４ｃ、操作片４４ｄ、ロックアーム４４ｅ、二つの円筒コイルバネ４４ｆなどを備えている。
【００４８】
被係止部４４ｂは、金属製の板からなり、その先端がＵ字形に折り曲げられることによってロックアーム４４ｅが引っ掛けられるようになっている。
【００４９】
受け部４５は、支持部５の基端側が挿入されるように有底円筒形に形成されたものであって、押え板４５ａを介して第２半筒状部材４２に傾動可能に支持されている。この受け部４５は、押え板４５ａにより取付部４の第１半筒状部材４１の外面に直立姿勢または３段階の傾斜姿勢で固定されるようになっている。
【００５０】
押え板４５ａは、傾動支軸となる支軸ボルト４５ｂと、姿勢固定用のロックピン４５ｃとで第２半筒状部材４２の外面に取り付けられている。
【００５１】
なお、前記直立姿勢とは、図１４に示すように、受け部４５の中心軸線を取付部４の中心軸線に対して平行にされる姿勢のことであり、ロックピン４５ｃが第１ピン受け４５ｄを経て第２半筒状部材４２の貫通孔４２ｅおよび第１半筒状部材４１の貫通孔４１ｅに係止された状態となる。
【００５２】
また、前記傾斜姿勢とは、図１５に示すように、受け部４５の中心軸線を取付部４の中心軸線に対して傾斜される姿勢のことであり、ロックピン４５ｃが第２ピン受け４５ｅ、第３ピン受け４５ｆまたは第４ピン受け４５ｇに係止された状態となる。
【００５３】
ロックピン４５ｃは、第２半筒状部材４２に設けられている第１〜第４ピン受け４５ｄ〜４５ｇに挿入した状態で所定角度回転されることによって抜け止めされるロック状態になり、また、前記回転を逆向きに所定角度戻すことによって第１〜第４ピン受け４５ｄ〜４５ｇから抜き出せるアンロック状態になる。
【００５４】
このロックピン４５ｃは、外した状態で紛失しないようにチェーン等の紐状部材４６の自由端に取り付けられている。この紐状部材４６の基端は、押え板４５ａに固定されている。
【００５５】
支持部５は、図１から図４ならびに図１６に示すように、長尺体とされていて、かつそれが長手方向に伸縮可能に形成されるテレスコピック構造となっている。
【００５６】
この支持部５の外形は、丸棒状とされており、詳細に図示していないが、円筒形の外筒内に多数の円筒形の内筒を同心状に重ね合わせて収納したような構成になっている。
【００５７】
この支持部５の基端側は取付部４の受け部４５内に挿入されるようになっており、当該支持部５の前記外筒の先端側で前記不図示の多数の内筒を出し入れすることにより伸縮操作するようになっている。
【００５８】
この支持部５の前記外筒および前記内筒の全長寸法を可及的に短く設定している。具体的に、支持部５の前記外筒および前記内筒の全長寸法は、例えば取付部４から支持部５の先端側に手が届く腕の長さ程度に設定される。これにより、支持部５の伸縮操作が取付部４に近い位置（前記外筒の先端側）で比較的簡単に行えるようになる。
【００５９】
また、支持部５は、その長手方向に対して照明部３の長手方向を直交させる姿勢でかつ照明部３をそれから発する光を下に向けるような姿勢で支持するようになっている。
【００６０】
このような支持部５で照明部３を支持することにより照明部３が取付部４の位置よりも離れた位置でかつ高い位置に配置されるようになる。
【００６１】
この支持部５の先端側には、図７から図９に示すように、照明部３を着脱自在に保持するためのチャックプレート５１と、このチャックプレート５１に照明部３を固定するための二組の締結ユニット５２とが設けられている。
【００６２】
チャックプレート５１は、図８に示すように、平面視が略野球のホームベース形状の金属製の板とされており、その先端側はほぼ９０度下向きに折り曲げられている。このチャックプレート５１の平面部分の先端側の両端付近には、板厚方向に貫通するボルト挿通孔５１ａが設けられている。締結ユニット５２は、ボルト５２ａと、緩み止めナット５２ｂと、ばね座金５２ｃと、平座金５２ｄとを含んでいる。
【００６３】
次に、上記した仮設照明装置２の使用方法について説明する。
【００６４】
まず、支柱１に取付部４を取り付ける。このとき、取付部４の第１半筒状部材４１を先に図１１に示すように支柱１を挟むようにあてがい、この第１半筒状部材４１に第２半筒状部材４２を接近させることによって図１０に示すように、両半筒状部材４１，４２を挟む閉状態にしてから、この閉状態をロックユニット４４によって保持させる。
【００６５】
次いで、支持部５のチャックプレート５１に照明部３を取り付ける。このとき、チャックプレート５１のボルト挿通孔５１ａに締結ユニット５２を仮留めしておいて、この締結ユニット５２のボルト５２ａの頭部を照明部３のガイドレール３２に係入させてから、チャックプレート５１を照明部３の長手方向ほぼ中央位置に配置するように位置決めして、前記のボルト５２ａにばね座金５２ｃおよび平座金５２ｄを介して緩み止めナット５２ｂを本締めすることにより、支持部５に照明部３を固定するのである。
【００６６】
この後、前記のように支柱１に固定した取付部４の受け部４５を適宜の傾斜姿勢にしてから、前記のように照明部３を取り付けた支持部５の基端側を取付部４の受け部４５に挿入する。
【００６７】
そして、照明部３の電源ケーブル６を電源８のケーブル８ａに接続する。なお、仮設照明装置２を１つで使用する場合には、電源８のケーブル８ａを支柱１および支持部５の先端側にまで沿わせるようにするとともに、電源ケーブル６の先端側を吊り下げ部材９で支持部５のチャックプレート５１に吊り下げるようにすることにより、電源ケーブル６および電源８のケーブル８ａが垂れ下がって邪魔にならないようにしている。また、照明部３の連結ケーブル７を使用しない場合には、それが垂れ下がって邪魔にならないようにテープ１０によって連結ケーブル７の先端側を束ねるようにすることができる。
【００６８】
ここで、図４に示すように、支持部５の前記外筒から前記内筒を少数だけ引き出した場合でも、照明部３が支柱１から離れた位置でかつ高い位置に配置されるようになる。しかしながら、図３に示すように、支持部５の前記外筒から前記内筒をすべて引き出した場合には、図４に比べると、照明部３が支柱１からさらに離れた位置でかつさらに高い位置に配置されるようになる。このように前記外筒から前記内筒を引き出す数を変更することにより支持部５の全長寸法を任意に調整することが可能になるのである。
【００６９】
なお、図３に示す設置状態では、作業者や物品の影がほぼ真下に形成されることになるので、作業場所へ前記影が重なるようなことが生じ難くなる。一方、図４に示す設置状態では、照明部３から光が斜め下方に照射されるので、その光の途中に他の作業者や物品が位置するとそれらの影が作業場所に重なるようなことが起こり得る。
【００７０】
このことからすると、図３に示す設置状態の方が図４に示す設置状態に比べて作業しやすくなると言える。
【００７１】
その他、前記のように支柱１に１つの仮設照明装置２を設置した後、例えば図５に示すように、既設の仮設照明装置２に他の仮設照明装置２を隣り合わせで一列に並べるように連結することができる。
【００７２】
このとき、既設の仮設照明装置２の連結ケーブル７のコネクタ７ａに他の仮設照明装置２の電源ケーブル６のコネクタ６ａを連結するだけでよい。電源ケーブル６および連結ケーブル７を垂れ下げる状態にすれば、電源ケーブル６のコネクタ６ａおよび連結ケーブル７のコネクタ７ａが作業者の手の届く位置に配置できるようになるので、前記両コネクタ６ａ，７ａの接続作業ならびに離脱作業が比較的簡単に行えるようになる。
【００７３】
ところで、前記のように設置した仮設照明装置２を取り外す場合には、上記した作業を逆に行えばよい。
【００７４】
以上説明したように本発明を適用した実施形態によれば、例えば既設設備としての支柱１を利用して照明部３を取付部４の位置よりも離れた位置でかつ高い位置へ設置するように構成している。
【００７５】
これにより、上記特許文献２と異なり三脚などの支持装置が不要になるから、上記特許文献２に比べて簡易な構成でありながら、照明部３を取付部４の位置よりも離れた位置でかつ高い位置へ設置することが可能になる。また、長尺な照明部３を用いるから、上記特許文献１に比べて広範囲を照明することが可能になる。
【００７６】
特に、前記既設設備としての支柱１を、例えば鉄道線路の近傍に一定間隔おきに設置される支柱とし、この支柱に本発明に係る仮設照明装置２を取り付けるようにして使用すれば、前記鉄道線路の点検、補修作業者の邪魔にならないような高い位置から線路を照明することが可能になるから、前記点検、補修作業が効率良く行えるようになる。
【００７７】
また、上記実施形態では、前記支持部５の外筒および内筒の全長寸法を可及的に短く設定することにより、照明部３を装着した支持部５を取付部４に取り付けた状態であっても当該支持部５の伸縮操作を手の届く位置で行うことができるようになるから、当該伸縮操作を比較的簡単に行うことが可能になる。
【００７８】
また、上記実施形態では、照明部３に柔軟な電源ケーブル６を光源ユニット３１から外へ飛び出すように設けているから、当該電源ケーブル６を電源８に装着しやすくなる。さらに、上記実施形態では、照明部３に柔軟な連結ケーブル７を光源ユニット３１から外へ飛び出すように設けているから、仮設照明装置２に他の同一仕様の仮設照明装置２を連結ケーブル７でもって接続しやすくなる。これにより、多数の仮設照明装置２でもって可及的に広範囲を照明することが可能になる。
【００７９】
また、上記実施形態では、取付部４を構成する第１半筒状部材４１と第２半筒状部材４２とで前記既設設備としての支柱１を挟むようにして取り付ける形態にしているから、支柱１に対する取付部４の取り付け作業が比較的簡単に行えるようになる。
【００８０】
また、上記実施形態では、有底円筒形の受け部４５に丸棒状の支持部５の基端側を挿入する形態に特定しているとともに、取付部４に対する支持部５の取り付け姿勢を多様に変更できるようにしているから、取付部４に対する支持部５の取り付けが素早く簡単に行うことが可能になるとともに、照明部３の配置を任意に選択できるようになるなど、使い勝手が良くなる。
【００８１】
なお、本発明は、上記実施形態のみに限定されるものではなく、特許請求の範囲内および当該範囲と均等の範囲内で適宜に変更することが可能である。
【００８２】
（１）上記実施形態では、照明部３を光源ユニット３１のホルダ３３とガイドレール３２とを別体にした例を挙げているが、本発明はこれのみに限定されるものではなく、例えば図１７に示すように、照明部３の光源ユニット３１のホルダ３３とガイドレール３２とを一体に形成することが可能である。
【００８３】
（２）上記実施形態では、既設設備としてＨ型鋼などの支柱１とする例を挙げているが、本発明はこれのみに限定されるものではない。
【００８４】
この既設設備は、図示していないが、例えば丸棒状の支柱とすることも可能である。その場合には、図示していないが、断面矩形状でかつ丸孔を有するアダプタなどを前記丸棒状の支柱に取り付けてから、このアダプタに取付部４を取り付けるようにするか、あるいは取付部４の第１半筒状部材４１および第２半筒状部材４２の内面を半円形状にする必要がある。
【００８５】
（３）上記実施形態では、連結ケーブル７を吊り下げ部材９によって照明部３に吊り下げるようにした例を挙げているが、本発明はこれのみに限定されるものではない。
【００８６】
例えば図示していないが、連結ケーブル７の先端側に面ファスナー付のテープを取り付け、このテープによって連結ケーブル７の余り部分を束ねるような形態にすることが可能である。
【００８７】
また、図示していないが、取付部４の第１半筒状部材４１または第２半筒状部材４２の外面にフック部材を取り付け、このフック部材に連結ケーブル７の途中部分を引っ掛けるような形態にすることも可能である。
【００８８】
このように連結ケーブル７の余り部分を処理すれば、連結ケーブル７が垂れ下がった状態になることを防止できるので、それが作業の邪魔にならなくなる。
【００８９】
これと同様に、電源ケーブル６の吊り下げについても吊り下げ部材９を用いる他に、前記のような面ファスナー付のテープや、前記のようなフック部材を用いることが可能である。
【００９０】
（４）上記実施形態で例示した各部品は、それらが担う機能が同等の他部品に変更することが可能である。
【００９１】
上記実施形態に示すロックピン４５ｃについては、図１８から図２０に示すようなロック装置１１に変更することができる。
【００９２】
図示例のロック装置１１は、ロックピン１２をケース１３に軸方向スライド可能に支持した構成であって、このロックピン１２が押動操作されたときに軸方向奥側のロック位置までスライドされてケース１３に不動に拘束される状態になる一方、ロックピン１２が前記ロック位置にスライドされている状態においてアンロックボタン１４が押動操作されたときにロックピン１２が前記と逆向きにスライドされて軸方向手前側のアンロック位置に配置される状態になるような構成になっている。
【００９３】
ここで、ロックピン１２を前記ロック位置にスライドさせると、ロックピン１２が第２半筒状部材４２の貫通孔４２ｅと第１半筒状部材４１の貫通孔４１ｅとに挿入された状態または第２〜第４ピン受け４５ｅ〜４５ｇに挿入された状態になる。一方、ロックピン１２を前記アンロック位置にスライドさせると、ロックピン１２が第２半筒状部材４２の貫通孔４２ｅと第１半筒状部材４１の貫通孔４１ｅとから抜け出した状態または第２〜第４ピン受け４５ｅ〜４５ｇから抜け出した状態になる。
【００９４】
そして、受け部４５を直立姿勢から最大傾斜姿勢までの間における傾動ストロークを規制するために、第２半筒状部材４２にガイド溝４２ｆを設けて、押え板４５ａにガイド溝４２ｆに係入されるストッパねじ４５ｈを設けている。
【産業上の利用可能性】
【００９５】
本発明は、照明必要場所に設けられる既設設備に仮設される仮設照明装置に好適に利用することが可能である。
【符号の説明】
【００９６】
１  支柱
２  仮設照明装置
３  照明部
３１  光源ユニット
３２  ガイドレール
４  取付部
４１  第１半筒状部材
４２  第２半筒状部材
４３  ヒンジ
４４  ロックユニット
４４ａ  係止部
４４ｂ  被係止部
４５  受け部
４５ａ  押え板
４５ｂ  支軸ボルト
５  支持部
５１  チャックプレート
５２  締結ユニット
６  電源ケーブル
６ａ  コネクタ
７  連結ケーブル
７ａ  コネクタ
８  電源
【図１】
2019087394.tif 000003
【図２】
2019087394.tif 000004
【図３】
2019087394.tif 000005
【図４】
2019087394.tif 000006
【図５】
2019087394.tif 000007
【図６】
2019087394.tif 000008
【図７】
2019087394.tif 000009
【図８】
2019087394.tif 000010
【図９】
2019087394.tif 000011
【図１０】
2019087394.tif 000012
【図１１】
2019087394.tif 000013
【図１２】
2019087394.tif 000014
【図１３】
2019087394.tif 000015
【図１４】
2019087394.tif 000016
【図１５】
2019087394.tif 000017
【図１６】
2019087394.tif 000018
【図１７】
2019087394.tif 000019
【図１８】
2019087394.tif 000020
【図１９】
2019087394.tif 000021
【図２０】
2019087394.tif 000022